(57)【要約】【課題】  比較的容易に実施できると共に入力コードをヘッドホン筐体から引き出すときに耳障りなカチ、カチ音を発生しないようにすることを目的とする。【解決手段】  入力コード９と、筐体１０内に設けこの入力コード９をこの筐体１０内に巻き取るように付勢した巻き取り手段１，３と、この巻き取り手段１，３と連動し、この巻き取り手段１，３のこの入力コード９の巻き取りを阻止すると共にこの入力コード９のこの筐体１０からの引き出しを許容する爪車５と回動アーム７の一端に設け、この爪車５側に付勢された係合用爪７ａとより成るラチェット手段と、この回動アーム７と筐体１０との間に設けた緩衝材１１とを有し、この入力コード９のこの筐体１０から引き出すときにこの緩衝材１１によりこの回動アーム７の一端の係合用爪７ａの移動を規制するようにしたものである。【選択図】        図１
2005311777.tif 000002
【特許請求の範囲】
【請求項１】
入力コードと、
筐体内に設け前記入力コードを前記筐体内に巻き取るように付勢した巻き取り手段と、
前記巻き取り手段と連動し、前記巻き取り手段の前記入力コードの巻き取りを阻止すると共に前記入力コードの前記筐体からの引き出しを許容する爪車と回動アームの一端に設け、前記爪車側に付勢された係合用爪とより成るラチェット手段と、
前記回動アームと前記筐体との間に設けた緩衝材とを有し、
前記入力コードの前記筐体から引き出すときに前記緩衝材により前記回動アームの一端の係合用爪の移動を規制するようにしたことを特徴とするコード巻き取り装置付きヘッドホン。
【発明の詳細な説明】
【技術分野】
【０００１】
本発明は、例えば携帯用音響機器に使用するヘッドホン、このヘッドホンにマイクロホンを設けた所謂ヘッドセットに適用して好適なコード巻き取り装置付きヘッドホンに関する。
【背景技術】
【０００２】
近年携帯用音響機器等の発達に伴いヘッドホンが屋外でも多く用いられるようになった。このヘッドホンを携帯する場合、入力コードの絡み等が問題となる。
【０００３】
そこで従来このヘッドホンの入力コードをヘッドホンの筐体内に巻き取る機構を設けたコード巻き取り装置付きヘッドホンが提案されている。このコード巻き取り装置付きヘッドホンの入力コードの巻き取り機構は、ヘッドホン筐体内に設け、入力コードをこの筐体内に巻き取るように付勢した巻き取り手段と、この巻き取り手段と連動し、この巻き取り手段のこの入力コードの巻き取りを阻止すると共にこの入力コードのこの筐体からの引き出しを許容する金属板の爪車と金属板の回動アームの一端に設け、この爪車側に付勢された係合用爪より成るラチェット手段とより構成されている。
【０００４】
従って、入力コードを筐体から引き出すときには、この金属板の係合用爪が金属板の爪車の爪部を乗り越える毎に耳障りなカチ、カチ音を発生する不都合があった。
【０００５】
そこで、従来特許文献１には、金属板の係合用爪の金属板の爪車の爪部を乗り越える毎に当接する部分に軟質のゴム、合成樹脂等の緩衝材を設け、この耳障りなカチ、カチ音を低減するようにしたものが提案されている。
【特許文献１】特開２０００−２５３４７７号公報
【発明の開示】
【発明が解決しようとする課題】
【０００６】
然しながら金属板の係合用爪と当接する爪車の爪部の部分は、容積の殆どを入力コードの収納スペースに割り当てなくてはならず極めて薄く、この係合用爪に設ける緩衝材には、狭い面積で効果的な消音効果を持つ柔軟性と、目まぐるしく動く爪車の爪部及び係合用爪の数万回以上の激しい衝突に耐える耐久性とを併せもつことが要求され、実施が極めて困難である。
【０００７】
また、係合用爪も薄い金属板であることから緩衝材を数万回以上に及ぶ激しい衝突でも剥がれないように配置することも極めて困難である。
【０００８】
本発明は、比較的容易に実施できると共に入力コードをヘッドホン筐体から引き出すときに耳障りなカチ、カチ音を発生しないようにすることを目的とする。
【課題を解決するための手段】
【０００９】
本発明コード巻き取り装置付きヘッドホンは入力コードと、筐体内に設けこの入力コードをこの筐体内に巻き取るように付勢した巻き取り手段と、この巻き取り手段と連動し、この巻き取り手段のこの入力コードの巻き取りを阻止すると共にこの入力コードのこの筐体からの引き出しを許容する爪車と回動アームの一端に設け、この爪車側に付勢された係合用爪とより成るラチェット手段と、この回動アームとこの筐体との間に設けた緩衝材とを有し、この入力コードをこの筐体から引き出すときにこの緩衝材によりこの回動アームの一端の係合用爪の移動を規制するようにしたものである。
【発明の効果】
【００１０】
本発明によれば一端に係合用爪を設けた回動アームと筐体との間に緩衝材を設けたので、この係合用爪の稼動範囲をこの緩衝材で規制し、この係合用爪が爪車の爪部に当たるのを寸止めして、衝突音の発生を防止する。
【００１１】
この緩衝材は、コード収納スペースを制限することのない筐体内の空きスペースに配置することができ、充分な面積を確保でき容易に実施できると共に、この緩衝材としてネオプレンスポンジ等、安価で耐久性に富んだ材質を選定でき、確実な消音効果が長期に得られる。
【発明を実施するための最良の形態】
【００１２】
以下、図１〜図４を参照して本発明コード巻き取り装置付きヘッドホンを実施するための最良の形態の例につき説明する。
【００１３】
先ず、図２を参照してコード巻き取り装置付きヘッドホンの概要につき説明する。
【００１４】
図２において、１０はヘッドホン筐体を示し、このヘッドホン筐体１０の前部筐体１０ｃには人間の耳の外耳道に対向して前部開孔１０ｄが設けられ、この前部開孔１０ｄに向けてスピーカユニット２１が取り付けられている。
【００１５】
また前部筐体１０ｃの前方周辺にイヤーパッド２２が取り付けられており、また前部筐体１０ｃから一体に後方即ち耳から遠ざかる方向に延びた支柱１０ｅの先に巻き取り装置基板２３を取り付け、この巻き取り装置基板２３には支軸２を植立し、この支軸２にリール１を回転自在に装着する。
【００１６】
このリール１にはらせん状に入力コード９を巻き取るコード巻き取り部１ａと、このコード巻き取り部１ａの中心部のコードたるみ部１ｂと反対側に仕切られたぜんまいばね収納部１ｃとが設けられている。
【００１７】
入力コードは一端をスピーカユニット２１の端子部２１ａにはんだ付け等で電気的に接続され、巻き取り装置基板２３に設けた孔２３ａからコードたるみ部１ｂに入ってここでゆるく数回らせん状に巻回され、更にリール１内部を貫通して、この部分でリール１に固定されたうえ、コード巻き取り部１ａに入って、これに巻回されている。
【００１８】
ヘッドホン筐体１０は巻き取り装置の後部からこれを覆い、下方に入力コード９を引き出すコード引き出し孔１０ａが設けられていて、ここから引き出された入力コード９の先端にはオーディオ機器等に接続するプラグ９ａが取り付けられている。
【００１９】
この場合、一端が支軸２に固着され、他端がリール１のぜんまいばね収納部１ｃ内面に固着されたぜんまいばね３によって図１の矢印Ｒ１方向に付勢されていて巻き取り手段を構成している。
【００２０】
また、リール１の両側のフランジの一方を薄い樹脂製板より成る爪車５とし（図１参照）、この爪車５に、図１に示す如くこの爪車５の全周を整数等分例えば４等分して例えば４個の切り込みより成るロック用爪部５ａを設ける。
【００２１】
また、図１、図３に示す如く軸６に回動自在に軸支された回動アーム７の一端に係合用爪７ａを設ける。この回動アーム７の一端の係合用爪７ａは爪車５のロック用爪部５ａに押圧係合するように一端をこの回動アーム７に他端を筐体１０にかけた付勢ばね８でこの回動アーム７の係合用爪７ａが矢印Ｒ２方向即ち爪車５方向に付勢する。
【００２２】
この爪車５のロック用爪部５ａと回動アーム７の一端の係合用爪７ａとの関係は入力コード９を引き出す方向即ち爪車５が矢印Ｒ３方向に回転したときにおいては係合用爪７ａはロック用爪部５ａとは係合しない緩斜面側を進行する如くし、このロック用爪部５ａとは係合することなく、この入力コード９をぜんまいばね３の付勢力より大きな力を掛けることにより筐体１０より引き出すことができる（引き出しを許容する）如くする。
【００２３】
また入力コード９を巻き取る方向即ち爪車５が矢印Ｒ１方向に回転したときには係合用爪７ａは爪車５のロック用爪部５ａと係合してロックされ、この入力コード９の巻き取りを阻止する。
【００２４】
この爪車５のロック用爪部５ａと回動アーム７の一端の係合用爪７ａとは所謂ラチェット手段を構成する。
【００２５】
また、回動アーム７の他端にこのラチェット手段の入力コード９の巻き取り阻止を解除する解除ボタン７ｂを設け、この解除ボタン７ｂをヘッドホン筐体１０の開口１０ｂより露出する如くする。
【００２６】
この場合、この回動アーム７の他端の解除ボタン７ｂを操作したときは爪車５のロック用爪部５ａと回動アーム７の一端の係合用爪７ａとの係合が解除され、ぜんまいばね３の付勢力により、この入力コード９がヘッドホン筐体１０内に巻き取られる。
【００２７】
本例においては、図１、図３、図４に示す如くこの回動アーム７の他端側に他端の解除ボタン７ｂに近接して所定大きさの幅広部を設け、この幅広部を折り曲げて、ヘッドホン筐体１０の内面と平行な平行面部７ｃを形成し、この回動アーム７の平行面部７ｃに対向するヘッドホン筐体１０の内面に所定の大きさで且つ所定の高さのネオプレンスポンジ等の緩衝材１１を接着して設ける。
【００２８】
本例によるコード巻き取り装置付きヘッドホンは上述の如く構成されているので、回動アーム７の解除ボタン７ｂを操作したときは爪車５のロック用爪部５ａと回動アーム７の一端の係合用爪７ａとの係合が解除され、ぜんまいばね３の付勢力により、この入力コード９をヘッドホン筐体１０内に巻き取ることができる。
【００２９】
また、入力コード９をヘッドホン筐体１０より引き出すときには、この入力コード９をぜんまいばね３の付勢力より大きな力を掛けて引き出す。このときは図３Ａ，Ｂ，Ｄに示す如く爪車５が矢印Ｒ３方向に回転し、ロック用爪部５ａは係合用爪７ａとは係合しない緩斜面側が当接することとなり、ロック用爪部５ａと係合用爪７ａとは係合せず、この入力コード９を引き出すことができる。
【００３０】
この入力コード９を引き出す力を所望位置で掛けなくしたときには、この爪車５はぜんまいばね３の付勢力により矢印Ｒ１方向に回転し、係合用爪７ａは爪車５のロック用爪部５ａと係合してロックされ、入力コード９の長さを所望長さでロックすることができる。
【００３１】
この場合、本例によれば、一端に係合用爪７ａを設けた回動アーム７の他端側に折り曲げた平行面部７ｃを形成すると共にこの平行面部７ｃに対向するヘッドホン筐体１０の内面に所定の大きさで且つ所定の高さのネオプレンスポンジ等の緩衝材１１を設けたので、この係合用爪７ａの稼動範囲がこの緩衝材１１で規制され、図３Ｃの図３Ｂの拡大図に示す如くこの係合用爪７ａが爪車５のロック用爪部５ａに当たるのを寸止めして衝突音の発生が防止される。
【００３２】
従って、ヘッドホン筐体１０より入力コード９を引き出すときに耳障りなカチ、カチ音を発生しない。
【００３３】
また、本例によればこの緩衝材１１は、ヘッドホン筐体１０内のコード収納スペースを制限することのない、筐体１０内の空きスペースに配置することができ、充分な面積を確保でき容易に実施できると共にこの緩衝材１１としてネオプレンスポンジ等、安価で耐久性に富んだ材質を選定でき、確実な消音効果が長期に得られる。
【００３４】
更に本例においては、回転アーム７のこの緩衝材１１に対応する部分に平行面部７ｃを設けたので更に確実な消音効果が長期に得られる。
【００３５】
尚、上述例では爪車５のロック用爪部５ａの数を４個としたが、これはその他の複数個としても良いことは勿論である。
【００３６】
また上述例ではヘッドホンに本発明を適用した例につき述べたが、ヘッドホンにマイクロホンを設けた所謂ヘッドセットにも本発明を適用できることは勿論である。
【００３７】
また本発明は上述例に限ることなく、本発明の要旨を逸脱することなく、その他種々の構成が採り得ることは勿論である。
【図面の簡単な説明】
【００３８】
【図１】本発明コード巻き取り装置付きヘッドホンを実施するための最良の形態の例の要部を示す構成図である。
【図２】コード巻き取り装置付きヘッドホンの例を示す断面図である。
【図３】本発明の説明に供する線図である。
【図４】本発明の要部の例を示す断面図である。
【符号の説明】
【００３９】
１‥‥リール、５‥‥爪車、５ａ‥‥ロック用爪部、６‥‥軸、７‥‥回動アーム、７ａ‥‥係合用爪、７ｂ‥‥解除ボタン、７ｃ‥‥平行面部、８‥‥付勢ばね、９‥‥入力コード、１０‥‥ヘッドホン筐体、１１‥‥緩衝材
【図１】
2005311777.tif 000003
【図２】
2005311777.tif 000004
【図３】
2005311777.tif 000005
【図４】
2005311777.tif 000006